(57)【要約】【課題】ネットワーク環境がない地域でも使用可能で、かつ比較的容易にユーザ数を増減させることが可能な急速充電器を提供する。【解決手段】電動車２に対して充電動作を行う充電ユニット１０と、充電動作を開始させるための認証を行う認証ユニット２０と、を備える急速充電器１Ａであって、認証ユニット２０は、所定の第１カードに関する第１カード情報を記憶する記憶部２１と、カードの読み取りを行い当該カードのカード情報を取得する読取部２２と、カード情報を第１カード情報と照合し、両者が一致する場合に充電動作を許可する照合部２３と、カード情報を第１カード情報として記憶部２１に記憶させるか否かの判定を行う登録判定部２６と、登録判定部２６の判定結果に応じて、カード情報を第１カード情報として記憶部２１に記憶させる登録部２５と、を備えることを特徴とする。【選択図】図１
2020141454.tif 000002
【特許請求の範囲】
【請求項１】
電動車に対して充電動作を行う充電ユニットと、
前記充電動作を開始させるための認証を行う認証ユニットと、
を備える急速充電器であって、
前記認証ユニットは、
所定の第１カードに関する第１カード情報を記憶する記憶部と、
カードの読み取りを行い当該カードのカード情報を取得する読取部と、
前記カード情報を前記第１カード情報と照合し、両者が一致する場合に前記充電動作を許可する照合部と、
前記カード情報を前記第１カード情報として前記記憶部に記憶させるか否かの判定を行う登録判定部と、
前記登録判定部の判定結果に応じて、前記カード情報を前記第１カード情報として前記記憶部に記憶させる登録部と、
を備えることを特徴とする急速充電器。
【請求項２】
パスワードの入力を受け付けるパスワード入力部をさらに備え、
前記登録判定部は、
前記パスワードが所定の第１パスワードと一致するか否かの判定を行う第１判定部と、
前記読取部でのカードの読み取りを要求し、前記読取部が読み取ったカードが前記第１カードに該当するか否かの判定を行う第２判定部と、
を備えることを特徴とする請求項１に記載の急速充電器。
【請求項３】
前記登録判定部は、前記第１パスワードの変更を行うパスワード変更部をさらに備え、
前記パスワード変更部は、前記パスワード入力部において入力されたパスワードが所定の第２パスワードと一致するか否かの判定を行い、一致する場合に前記パスワード入力部において新規パスワードの入力を受け付け、前記第１パスワードを前記新規パスワードに変更することを特徴とする請求項２に記載の急速充電器。
【請求項４】
前記記憶部には、所定の第２カードに関する第２カード情報が記憶されており、
前記登録判定部は、
前記読取部でのカードの読み取りを要求し、前記読取部が読み取ったカードのカード情報と前記第２カード情報とが一致するか否かの判定を行う第３判定部と、
前記読取部でのカードの読み取りを要求し、前記読取部が読み取ったカードが前記第１カードに該当するか否かの判定を行う第４判定部と、
を備えることを特徴とする請求項１に記載の急速充電器。
【請求項５】
前記登録判定部は、前記第２カード情報の変更を行うカード情報変更部をさらに備え、
前記カード情報変更部は、前記読取部でのカードの読み取りを要求し、前記読取部が読み取ったカードが前記第２カードに該当する場合に、前記第２カード情報を当該カードのカード情報に変更することを特徴とする請求項４に記載の急速充電器。
【発明の詳細な説明】
【技術分野】
【０００１】
本発明は、電動車に対して充電動作を行う急速充電器に関する。
【背景技術】
【０００２】
一般に、電気自動車、プラグインハイブリッド車等の電動車に対して充電動作を行う急速充電器は、サーバーと通信してユーザ認証を行うか（例えば、特許文献１参照）、または予めユーザ登録されたユーザのみが使用できるよう構成されている（例えば、特許文献２参照）。
【０００３】
前者の急速充電器は、ネットワーク環境がなく通信に対応できない地域では、使用することができないという問題がある。また、後者の急速充電器は、ネットワーク環境がない地域でも使用することができるものの、ユーザ登録されたユーザ数を増減させることが難しいという問題がある。
【先行技術文献】
【特許文献】
【０００４】
【特許文献１】特開２０１３−２５５３５３号公報
【特許文献２】特開２０１０−１６１８９９号公報
【発明の概要】
【発明が解決しようとする課題】
【０００５】
本発明は上記事情に鑑みてなされたものであって、その課題とするところは、ネットワーク環境がない地域でも使用可能で、かつ比較的容易にユーザ数を増減させることが可能な急速充電器を提供することにある。
【課題を解決するための手段】
【０００６】
上記課題を解決するために、本発明に係る急速充電器は、
電動車に対して充電動作を行う充電ユニットと、
前記充電動作を開始させるための認証を行う認証ユニットと、
を備える急速充電器であって、
前記認証ユニットは、
所定の第１カードに関する第１カード情報を記憶する記憶部と、
カードの読み取りを行い当該カードのカード情報を取得する読取部と、
前記カード情報を前記第１カード情報と照合し、両者が一致する場合に前記充電動作を許可する照合部と、
前記カード情報を前記第１カード情報として前記記憶部に記憶させるか否かの判定を行う登録判定部と、
前記登録判定部の判定結果に応じて、前記カード情報を前記第１カード情報として前記記憶部に記憶させる登録部と、
を備えることを特徴とする。
【０００７】
この構成によれば、照合部が記憶部を参照してカード情報の照合を行うので、ネットワーク環境がない地域でも認証を行うことができ、さらに、登録判定部の判定結果に応じて、登録部がカード情報を記憶部に記憶させてユーザ登録を行うので、比較的容易にユーザ数を増減させることができる。
【０００８】
上記急速充電器は、
パスワードの入力を受け付けるパスワード入力部をさらに備え、
前記登録判定部は、
前記パスワードが所定の第１パスワードと一致するか否かの判定を行う第１判定部と、
前記読取部でのカードの読み取りを要求し、前記読取部が読み取ったカードが前記第１カードに該当するか否かの判定を行う第２判定部と、
を備えるよう構成できる。
【０００９】
上記急速充電器において、
前記登録判定部は、前記第１パスワードの変更を行うパスワード変更部をさらに備え、
前記パスワード変更部は、前記パスワード入力部において入力されたパスワードが所定の第２パスワードと一致するか否かの判定を行い、一致する場合に前記パスワード入力部において新規パスワードの入力を受け付け、前記第１パスワードを前記新規パスワードに変更するよう構成できる。
【００１０】
上記急速充電器において、
前記記憶部には、所定の第２カードに関する第２カード情報が記憶されており、
前記登録判定部は、
前記読取部でのカードの読み取りを要求し、前記読取部が読み取ったカードのカード情報と前記第２カード情報とが一致するか否かの判定を行う第３判定部と、
前記読取部でのカードの読み取りを要求し、前記読取部が読み取ったカードが前記第１カードに該当するか否かの判定を行う第４判定部と、
を備えるよう構成できる。
【００１１】
上記急速充電器において、
前記登録判定部は、前記第２カード情報の変更を行うカード情報変更部をさらに備え、
前記カード情報変更部は、前記読取部でのカードの読み取りを要求し、前記読取部が読み取ったカードが前記第２カードに該当する場合に、前記第２カード情報を当該カードのカード情報に変更するよう構成できる。
【発明の効果】
【００１２】
本発明によれば、ネットワーク環境がない地域でも使用可能で、かつ比較的容易にユーザ数を増減させることが可能な急速充電器を提供することができる。
【図面の簡単な説明】
【００１３】
【図１】本発明の第１実施形態に係る急速充電器のブロック図である。
【図２】第１実施形態に係る充電方法のフローチャートである。
【図３】第１実施形態に係るカード登録処理のフローチャートである。
【図４】第１実施形態に係るパスワード変更処理のフローチャートである。
【図５】本発明の第２実施形態に係る急速充電器のブロック図である。
【図６】第２実施形態に係るカード登録処理のフローチャートである。
【図７】第２実施形態に係るカード情報変更処理のフローチャートである。
【発明を実施するための形態】
【００１４】
以下、添付図面を参照して、本発明に係る急速充電器の実施形態について説明する。
【００１５】
［第１実施形態］
図１に、本発明の第１実施形態に係る急速充電器１Ａを示す。急速充電器１Ａは、電気自動車やプラグインハイブリッド車等の電動車２に対して充電動作を行う充電ユニット１０と、充電ユニット１０に充電動作を開始させるための認証を行う認証ユニット２０とを備える。
【００１６】
充電ユニット１０は、ＡＣ／ＤＣコンバータを含む電力供給部と、電力供給部を制御する制御部と、電動車２に接続されるコネクタ部とを備える。電力供給部は、交流電源から供給された交流電力に基づいて直流電力を生成し、コネクタ部の電力ラインを介して直流電力を電動車２に供給する。制御部は、コネクタ部の制御ラインおよび通信ラインを介して電動車２と通信を行いつつ、電力供給部を制御する。
【００１７】
認証ユニット２０は、記憶部２１と、読取部２２と、照合部２３と、表示操作部２４と、登録部２５と、登録判定部２６とを備える。
【００１８】
記憶部２１は、所定の通信規格に対応した第１カードに関する第１カード情報を記憶する。記憶部２１は、インターネット経由でアクセスできるデータベースとは異なり、急速充電器１Ａに内蔵されている。このため、例えば、急速充電器１Ａがネットワーク環境のない地域（インターネットを利用できない地域）に設置されていても、登録部２５および登録判定部２６は記憶部２１の情報を参照することができる。
【００１９】
第１カードは、例えば、非接触ＩＣカードであり、Ｆｅｌｉｃａ（登録商標）カード、Ｍｉｆａｒｅ（登録商標）カード等のＮＦＣ規格に対応したカードである。
【００２０】
読取部２２は、少なくとも第１カードを含むカードの読み取りを行い、当該カードに関するカード情報を取得する。カード情報には、例えば、カード固有のＩＤ番号が含まれる。読取部２２は、例えば、ＮＦＣ規格に対応した非接触ＩＣカードリーダーで構成される。
【００２１】
照合部２３は、読取部２２で取得したカード情報を記憶部２１に記憶された第１カード情報と照合する。照合部２３は、両者が一致する場合に、充電ユニット１０に充電許可信号を出力し、充電ユニット１０の充電動作を許可する。
【００２２】
表示操作部２４は、例えば、タッチパネル対応の液晶ディスプレイで構成される。表示操作部２４は、読取部２２にカードを読み取らせる際の注意事項を表示したり、照合部２３が充電ユニット１０の充電動作を許可したことを表示したり、充電ユニット１０の充電動作中における運転情報（例えば、充電電圧、充電時間等）を表示したりする。
【００２３】
また、表示操作部２４は、操作メニュー画面を表示したり、パスワード入力画面を表示したりして、ユーザの入力操作を受け付ける。すなわち、表示操作部２４は、本発明の「パスワード入力部」の機能を有する。なお、表示操作部２４は、各種画面を表示する表示部と、ユーザの入力操作を受け付ける操作部とが別々に設けられていてもよい。
【００２４】
登録部２５は、後述する登録判定部２６の判定結果に応じて、読取部２２で取得したカード情報を第１カード情報として記憶部２１に記憶させる。換言すれば、登録部２５は、電動車２の使用者が所有するカードのカード情報を第１カード情報として記憶部２１に記憶させることで、当該使用者のユーザ登録を行う。ユーザ登録された使用者は、照合部２３での照合に成功すると、充電ユニット１０による充電動作が可能になる。
【００２５】
登録判定部２６は、第１判定部２７と、第２判定部２８と、パスワード変更部２９とを備える。
【００２６】
第１判定部２７は、表示操作部２４で受け付けたパスワードが所定の第１パスワードと一致するか否かの判定を行う。第１パスワードは、後述するパスワード変更部２９において変更することができる。
【００２７】
第２判定部２８は、読取部２２でのカードの読み取りを要求し、読取部２２で読み取ったカードが第１カードに該当するか否かの判定を行う。カードの読み取りの要求は、例えば、表示操作部２４においてカードの読み取り指示を表示させることで行われる。
【００２８】
第１判定部２７において表示操作部２４で受け付けたパスワードが第１パスワードに一致すると判定され、かつ第２判定部２８において読取部２２で読み取ったカードが第１カードに該当すると判定された場合、登録部２５は、上記カードのカード情報を第１カード情報として記憶部２１に記憶させる。
【００２９】
パスワード変更部２９は、第１パスワードを変更する。具体的には、パスワード変更部２９は、表示操作部２４において入力されたパスワードが所定の第２パスワードと一致するか否かの判定を行う。両者が一致する場合、パスワード変更部２９は、表示操作部２４において新規パスワードの入力を受け付け、第１パスワードを新規パスワードに変更する。
【００３０】
図２に、急速充電器１Ａを用いて行う充電方法のフローチャートを示す。急速充電器１Ａが行う充電方法は、認証処理（Ｓ１０１〜Ｓ１０８）と、充電処理（Ｓ１０９〜Ｓ１１４）とを含む。
【００３１】
認証処理では、表示操作部２４においてユーザ登録に関する操作が行われた場合、登録部２５はカード登録処理を実行する（Ｓ１０１）。カード登録処理については後述する。また、表示操作部２４においてユーザ登録に関する操作が行われなかった場合、カード登録処理は省略される。
【００３２】
カード登録処理の終了後またはカード登録処理が省略された後に、表示操作部２４において認証方式選択操作が行われると（Ｓ１０２）、照合部２３は、表示操作部２４に使用許諾等の注意事項を表示した後に（Ｓ１０３）、認証を開始してよいか否かの確認画面を表示する（Ｓ１０４）。
【００３３】
なお、認証方式選択操作において、ネットワークを使用した認証方式も選択可能であるが、本実施形態では、ネットワークを使用しない認証ユニット２０だけで完結する認証方式が選択されたものとする。
【００３４】
認証を開始してよいか否かの確認画面では、例えば、「ＯＫ」ボタンと「ＮＧ」ボタンとが表示され、「ＮＧ」ボタンが選択されると（Ｓ１０４でＮＯ）、照合部２３は認証処理を終了させる。一方、「ＯＫ」ボタンが選択されると（Ｓ１０４でＹＥＳ）、照合部２３は読取部２２でのカードの読み取りを要求する（Ｓ１０５）。カードの読み取りの要求は、例えば、表示操作部２４においてカードの読み取り指示を表示させることで行われる。また、カードの読み取りは、精度向上のため複数回繰り返してもよい。
【００３５】
読取部２２でカードの読み取りが完了すると、照合部２３は、読取部２２で取得したカード情報を記憶部２１に記憶された第１カード情報と照合する（Ｓ１０６）。両者が一致しない場合（Ｓ１０７でＮＯ）、すなわち照合に失敗した場合、照合部２３は認証処理を終了させる。一方、両者が一致する場合（Ｓ１０７でＹＥＳ）、すなわち照合に成功した場合、照合部２３は、充電ユニット１０に充電許可信号を出力するとともに、表示操作部２４において充電許可表示を行う（Ｓ１０８）。これにより、ユーザは表示操作部２４において充電開始操作が可能になる。
【００３６】
表示操作部２４において充電開始操作が行われると（Ｓ１０９）、充電ユニット１０は、充電動作を開始して表示操作部２４に運転情報（充電情報）を表示し（Ｓ１１０）、所定の周期で充電終了判定を行う（Ｓ１１１）。
【００３７】
充電ユニット１０は、充電終了判定において充電動作を終了すると判定した場合（Ｓ１１１でＹＥＳ）、表示操作部２４に運転情報（充電情報）を表示し（Ｓ１１２）、充電中の情報処理を行う（Ｓ１１３）。
【００３８】
充電中の情報処理では、例えば、今回の運転情報（充電情報）を第１カード情報に関連付けて、記憶部２１に記憶させる。充電中の情報処理が終了すると、充電ユニット１０は、表示操作部２４において充電終了表示を行い（Ｓ１１４）、充電処理を終了させる。
【００３９】
図３に、カード登録処理（図２のＳ１０１）のフローチャートを示す。
【００４０】
カード登録処理では、表示操作部２４においてパスワード変更に関する操作が行われた場合、パスワード変更部２９は、パスワード変更処理を実行する（Ｓ２０１）。パスワード変更処理については後述する。また、表示操作部２４においてパスワード変更に関する操作が行われなかった場合、パスワード変更処理は省略される。
【００４１】
本実施形態では、パスワード変更に関する操作は急速充電器１Ａの管理者（所有者）によって行われ、パスワード変更処理の終了後の操作は電動車２の使用者によって行われることを想定している。パスワードは、例えば、１名の管理者から複数名の使用者に、任意の方法で伝えられることを想定している。
【００４２】
パスワード変更処理の終了後またはパスワード変更処理が省略された後に、表示操作部２４においてカード登録操作が行われると（Ｓ２０２）、登録部２５は、表示操作部２４に使用許諾等の注意事項を表示し（Ｓ２０３）、カード登録を開始してよいか否かの確認画面を表示させる（Ｓ２０４）。
【００４３】
カード登録を開始してよいか否かの確認画面では、例えば、「ＯＫ」ボタンと「ＮＧ」ボタンとが表示され、「ＮＧ」ボタンが選択されると（Ｓ２０４でＮＯ）、登録部２５はカード登録処理を終了させる。一方、「ＯＫ」ボタンが選択されると（Ｓ２０４でＹＥＳ）、登録部２５は表示操作部２４においてパスワードの入力を要求する（Ｓ２０５）。
【００４４】
表示操作部２４においてパスワードが入力されると、第１判定部２７は当該パスワードが所定の第１パスワードに一致するか否かの判定を行う（Ｓ２０６）。第１パスワードは、例えば、複数桁の数字および／またはアルファベットで表される。
【００４５】
パスワードが第１パスワードと一致しない場合（Ｓ２０６でＮＯ）、登録部２５はカード登録処理を終了させる。なお、パスワードが第１パスワードと一致しない場合、登録部２５は、表示操作部２４においてパスワードの入力を再度要求し、パスワードの不一致が複数回続いた場合に、カード登録処理を終了させてもよい。
【００４６】
パスワードが第１パスワードと一致する場合（Ｓ２０６でＹＥＳ）、第２判定部２８は、読取部２２でのカードの読み取りを要求し（Ｓ２０７）、読取部２２で読み取ったカードが第１カードに該当するか否かの判定を行う（Ｓ２０８）。当判定は、登録処理が可能なカードか否かを判別するのが目的で、カードに破損等がある場合には、登録対象から除外される。
【００４７】
例えば、急速充電器１Ａにおいて第１カードがＮＦＣ規格に対応したカードに設定されているのであれば、読取部２２で読み取ったカードがＮＦＣ規格に対応していない場合、またはＮＦＣ規格に対応していてもカードに破損等がある場合、登録処理不能なカードであるとして、第２判定部２８で上記カードが第１カードに該当しないと判定されて（Ｓ２０８でＮＯ）、登録部２５はカード登録処理を終了させる。
【００４８】
一方、読取部２２で読み取ったカードが登録処理可能なカードである場合、第２判定部２８で上記カードが第１カードに該当すると判定されて（Ｓ２０８でＹＥＳ）、登録部２５は上記カードのカード情報を第１カード情報として記憶部２１に記憶させる（Ｓ２０９）。これにより、使用者のユーザ登録が完了し、カード登録処理は終了する。
【００４９】
図４に、パスワード変更処理（図３のＳ２０１）のフローチャートを示す。
【００５０】
パスワード変更処理では、パスワード変更部２９は、表示操作部２４においてパスワードの入力を要求する（Ｓ３０１）。表示操作部２４においてパスワードが入力されると、パスワード変更部２９は、当該パスワードが所定の第２パスワードと一致するか否かの判定を行う（Ｓ３０２）。第２パスワードは、例えば、複数桁の数字および／またはアルファベットで表される。
【００５１】
表示操作部２４で受け付けたパスワードが第２パスワードと一致しない場合（Ｓ３０２でＮＯ）、パスワード変更部２９はパスワード変更処理を終了させる。なお、一致しない場合、パスワード変更部２９は、表示操作部２４においてパスワードの入力を再度要求し、パスワードの不一致が複数回続いた場合に、パスワード変更処理を終了させてもよい。
【００５２】
表示操作部２４で受け付けたパスワードが第２パスワードと一致する場合（Ｓ３０２でＹＥＳ）、パスワード変更部２９は、表示操作部２４において新規パスワードの入力を受け付ける（Ｓ３０３）。
【００５３】
表示操作部２４において新規パスワードが入力されると、パスワード変更部２９は、表示操作部２４に新規パスワード確認画面を表示する（Ｓ３０４）。新規パスワード確認画面において変更操作等が行われなければ、パスワード変更部２９は、第１パスワードを新規パスワードに変更し（Ｓ３０５）、パスワード変更処理を終了させる。
【００５４】
［第２実施形態］
図５に、本発明の第２実施形態に係る急速充電器１Ｂを示す。急速充電器１Ｂは、充電ユニット１０と認証ユニット３０とを備える。充電ユニット１０は、第１実施形態と同様の構成であるため、説明を省略する。
【００５５】
認証ユニット３０は、記憶部３１と、読取部３２と、照合部３３と、表示操作部３４と、登録部３５と、登録判定部３６とを備える。記憶部３１、読取部３２、照合部３３、表示操作部３４および登録部３５は、第１実施形態とほぼ同様の構成であるため、説明を省略する。
【００５６】
登録判定部３６は、第３判定部３７と、第４判定部３８と、カード情報変更部３９とを備える。
【００５７】
第３判定部３７は、読取部３２でのカードの読み取りを要求し、読取部３２で読み取ったカードのカード情報が記憶部３１に記憶された第２カードの第２カード情報と一致するか否かの判定を行う。第１実施形態では、カード登録（ユーザ登録）の際にパスワードを使用した照合を行っているが、本実施形態では、パスワードの代わりに第２カードを使用した照合を行う。
【００５８】
第２カードは、所定の通信規格に対応したカードで、例えば、ＮＦＣ規格に対応した非接触ＩＣカードである。第２カードは、第１カードとは異なるカード情報をもったカードであることが好ましい。第２カードの第２カード情報は、第２カード固有のＩＤ番号を含み、記憶部３１に記憶される。
【００５９】
第４判定部３８は、読取部３２でのカードの読み取りを要求し、読取部３２で読み取ったカードが第１カードに該当するか否かの判定を行う。カードの読み取りの要求は、例えば、表示操作部３４においてカードの読み取り指示を表示させることで行われる。
【００６０】
第３判定部３７において読取部３２で読み取ったカードのカード情報が記憶部３１に記憶された第２カード情報に一致すると判定され、かつ第４判定部３８において読取部３２で読み取ったカードが第１カードに該当すると判定された場合、登録部３５は、第４判定部３８において第１カードに該当すると判定されたカードのカード情報を第１カード情報として記憶部３１に記憶させる。
【００６１】
カード情報変更部３９は、記憶部３１に記憶されている第２カード情報を変更することで、使用可能な第２カードを変更する。具体的には、カード情報変更部３９は、読取部３２でのカードの読み取りを要求し、読取部３２が読み取ったカードが第２カードに該当するか否かの判定を行う。上記カードが第２カードに該当する場合、カード情報変更部３９は、記憶部３１に記憶されている第２カード情報を上記カードのカード情報に変更する。
【００６２】
急速充電器１Ｂを用いて行う充電方法は、第１実施形態と同様に、認証処理（図２のＳ１０１〜Ｓ１０８参照）と、充電処理（図２のＳ１０９〜Ｓ１１４参照）とを含む。
【００６３】
図６に、カード登録処理（図２のＳ１０１）のフローチャートを示す。
【００６４】
カード登録処理では、表示操作部３４においてカード情報変更に関する操作が行われた場合、カード情報変更部３９は、カード情報変更処理を実行する（Ｓ４０１）。カード情報変更処理については後述する。また、表示操作部３４においてカード情報変更に関する操作が行われなかった場合、カード情報変更処理は省略される。
【００６５】
本実施形態では、カード情報変更に関する操作は急速充電器１Ｂの管理者（所有者）によって行われ、カード情報変更処理の終了後の操作は電動車２の使用者によって行われることを想定している。第２カードは、例えば、１名の管理者から複数名の使用者に、任意の方法で渡されることを想定している。
【００６６】
カード情報変更処理の終了後またはカード情報変更処理が省略された後に、表示操作部３４においてカード登録操作が行われると（Ｓ４０２）、登録部３５は、表示操作部３４に使用許諾等の注意事項を表示し（Ｓ４０３）、カード登録を開始してよいか否かの確認画面を表示する（Ｓ４０４）。
【００６７】
カード登録を開始してよいか否かの確認画面では、例えば、「ＯＫ」ボタンと「ＮＧ」ボタンとが表示され、「ＮＧ」ボタンが選択されると（Ｓ４０４でＮＯ）、登録部３５はカード登録処理を終了させる。一方、「ＯＫ」ボタンが選択されると（Ｓ４０４でＹＥＳ）、第３判定部３７は読取部３２でのカードの読み取りを要求する（Ｓ４０５）。カードの読み取りは、精度向上のため複数回繰り返してもよい。
【００６８】
読取部３２でカードの読み取りが完了すると、第３判定部３７は、読取部３２で取得したカード情報を記憶部３１に記憶された第２カード情報と照合する（Ｓ４０６）。両者が一致しない場合（Ｓ４０７でＮＯ）、登録部３５はカード登録処理を終了させる。一方、両者が一致する場合（Ｓ４０７でＹＥＳ）、第４判定部３８が読取部３２でのカードの読み取りを要求する（Ｓ４０８）。
【００６９】
読取部３２でカードの読み取りが完了すると、第４判定部３８は、第１実施形態の第２判定部２８と同様に、読取部３２で読み取ったカードが第１カードに該当するか否かの判定を行う（Ｓ４０９）。
【００７０】
読取部３２で読み取ったカードが第１カードに該当しない場合（Ｓ４０９でＮＯ）、登録部３５はカード登録処理を終了させる一方、読取部３２で読み取ったカードが第１カードに該当する場合（Ｓ４０９でＹＥＳ）、登録部３５は上記カードのカード情報を第１カード情報として記憶部３１に記憶させる（Ｓ４１０）。これにより、使用者のユーザ登録が完了し、カード登録処理は終了する。
【００７１】
図７に、カード情報変更処理（図６のＳ４０１）のフローチャートを示す。
【００７２】
カード情報変更処理では、カード情報変更部３９は、読取部３２でのカードの読み取りを要求し（Ｓ５０１）、読取部３２が読み取ったカードが第２カードに該当するか否かの判定を行う（Ｓ５０２）。当判定は、変更処理が可能なカードか否かを判別するのが目的で、カードに破損等がある場合には、カード情報変更対象から除外される。
【００７３】
例えば、急速充電器１Ｂにおいて第２カードがＮＦＣ規格に対応したカードに設定されているのであれば、読取部３２で読み取ったカードがＮＦＣ規格に対応していない場合、またはＮＦＣ規格に対応していてもカードに破損等がある場合、変更処理不能なカードであるとして、カード情報変更部３９は、上記カードが第２カードに該当しないと判定して（Ｓ５０２でＮＯ）、カード情報変更処理を終了させる。
【００７４】
一方、読取部３２で読み取ったカードが変更処理可能なカードである場合、カード情報変更部３９は、上記カードが第２カードに該当すると判定し（Ｓ５０２でＹＥＳ）、上記カードの第２カードとしての使用回数が予め設定された制限回数以下か否かの判定を行う（Ｓ５０３）。なお、制限回数の設定は適宜変更でき、このステップＳ５０３の判定自体を省略することもできる。
【００７５】
第２カードとしての使用回数が予め設定された制限回数を超えている場合（Ｓ５０３でＮＯ）、カード情報変更部３９はカード情報変更処理を終了させる。一方、第２カードとしての使用回数が予め設定された制限回数以下の場合（Ｓ５０３でＹＥＳ）、カード情報変更部３９は、記憶部３１に記憶されている第２カード情報を上記カードのカード情報に変更する（Ｓ５０４）。これにより、変更前の第２カード情報を持つカードは、第２カードとして使用不能となる。
【００７６】
次いで、カード情報変更部３９は、第２カード使用履歴処理を実行する（Ｓ５０５）。第２カード使用履歴処理では、例えば、第２カードとしての使用回数が記憶部３１に記憶される。第２カード使用履歴処理が完了すると、カード情報変更部３９はカード情報変更処理を終了させる。
【００７７】
以上、本発明に係る急速充電器の実施形態について説明したが、本発明は上記各実施形態に限定されるものではない。
【００７８】
本発明の認証ユニットは、第１カード情報を記憶する記憶部と、カードの読み取りを行い当該カードのカード情報を取得する読取部と、カード情報を第１カード情報と照合して両者が一致する場合に充電ユニットの充電動作を許可する照合部と、カード情報を第１カード情報として記憶部に記憶させるか否かの判定を行う登録判定部と、登録判定部の判定結果に応じてカード情報を第１カード情報として記憶部に記憶させる登録部と、を備えるのであれば、適宜構成を変更できる。
【００７９】
本発明の充電ユニットは、電動車に対して充電動作を行うのであれば、適宜構成を変更できる。
【符号の説明】
【００８０】
１Ａ、１Ｂ    急速充電器
２    電動車
１０    充電ユニット
２０、３０    認証ユニット
２１、３１    記憶部
２２、３２    読取部
２３、３３    照合部
２４、３４    表示操作部
２５、３５    登録部
２６、３６    登録判定部
２７    第１判定部
２８    第２判定部
２９    パスワード変更部
３７    第３判定部
３８    第４判定部
３９    カード情報変更部
【図１】
2020141454.tif 000003
【図２】
2020141454.tif 000004
【図３】
2020141454.tif 000005
【図４】
2020141454.tif 000006
【図５】
2020141454.tif 000007
【図６】
2020141454.tif 000008
【図７】
2020141454.tif 000009